(57)【要約】      （修正有）【課題】取り扱い性に勝れ、建物開口部のサッシに簡単に取り付けたり取り外したりすることができる嵌め殺し式網戸を提供する。【解決手段】網戸１０Ａが、左右の縦枠杆１３，１４及び上下の横枠杆１５，１６からなる矩形の網戸枠１２と、網戸枠１２に着脱自在に張設された矩形のネットとを有し、網戸枠１２の上下の横枠杆１５，１６は、それぞれ長さ方向に２分割されていて、一半部側の第１杆部分２６ａと他半部側の第２杆部分２６ｂとを有し、第１杆部分２６ａと第２杆部分２６ｂとが相対する横枠杆中央部において屈伸可能であると共に、第１杆部分２６ａと第２杆部分２６ｂとを伸長状態にロックするためのロック機構３３を有する。【選択図】図４
2015124535.tif 000002
【特許請求の範囲】
【請求項１】
建物開口部のサッシに着脱可能に取り付けられる嵌め殺し式の網戸であって、
前記網戸は、左右の縦枠杆及び上下の横枠杆からなる矩形の網戸枠と、該網戸枠に着脱自在に張設された矩形のネットとを有し、
前記網戸枠の上下の横枠杆は、それぞれ長さ方向に２分割されていて、一半部側の第１杆部分と他半部側の第２杆部分とを有し、該第１杆部分と第２杆部分との先端部同士が向き合う横枠杆中央部において屈伸自在であると共に、該第１杆部分と第２杆部分とを伸長状態にロックするためのロック機構を有する、
ことを特徴とする着脱可能な嵌め殺し式網戸。
【請求項２】
前記上方の横枠杆における前記第１杆部分及び第２杆部分の基端部は、左方の縦枠杆の上端部及び右方の縦枠杆の上端部にそれぞれ回転自在に連結され、下方の横枠杆における前記第１杆部分及び第２杆部分の基端部は、左方の縦枠杆の下端部及び右方の縦枠杆の下端部にそれぞれ回転自在に連結されていることを特徴とする請求項１に記載の嵌め殺し式網戸。
【請求項３】
前記ロック機構は、前記第１杆部分及び第２杆部分の一方と他方とに相互に係合、離脱可能に設けられた係合部と被係合部とを有し、前記係合部を前記被係合部に係合させると前記第１杆部分と第２杆部分とが伸長状態にロックされ、前記係合部を前記被係合部から離脱させると前記第１杆部分と第２杆部分とが屈曲可能になることを特徴とする請求項１又は２に記載の嵌め殺し式網戸。
【請求項４】
前記係合部は凸状をなし、また、前記被係合部は凹状をなしていて、該係合部及び被係合部の一方が前記第１杆部分及び第２杆部分の一方に固定的に設けられ、前記係合部及び被係合部の他方が前記第１杆部分及び第２杆部分の他方に係脱操作可能に設けられていることを特徴とする請求項３に記載の嵌め殺し式網戸。
【請求項５】
前記係合部が前記第１杆部分及び第２杆部分の一方に固定的に設けられ、前記被係合部が、前記第１杆部分及び第２杆部分の他方に移動操作可能に設置された操作部材に設けられていることを特徴とする請求項４に記載の嵌め殺し式網戸。
【請求項６】
上方の横枠杆の第１杆部分及び第２杆部分に対する前記係合部及び被係合部の配置と、下方の横枠杆の第１杆部分及び第２杆部分に対する前記係合部及び被係合部の配置とが、互いに逆であることを特徴とする請求項３から５の何れかに記載の嵌め殺し式網戸。
【請求項７】
前記上下の横枠杆における前記第１杆部分と第２杆部分との先端部同士は、連結機構によって屈伸自在に連結されていることを特徴とする請求項１から６の何れかに記載の嵌め殺し式網戸。
【請求項８】
前記連結機構は引張ばねで構成され、該引張ばねは、前記第１杆部分と第２杆部分とを跨ぐように配置されていて、一端が前記第１杆部分に係止し、他端が前記第２杆部分に係止していることを特徴とする請求項７に記載の嵌め殺し式網戸。
【請求項９】
前記連結機構は連結ピンで構成され、該連結ピンは、前記第１杆部分と第２杆部分との連結部に形成されたピン挿通孔内に挿通されていることを特徴とする請求項７に記載の嵌め殺し式網戸。
【請求項１０】
前記上下の横枠杆はそれぞれ、前記第１杆部分及び第２杆部分の少なくとも一方に、該横枠杆を屈伸操作をするための引手を有することを特徴とする請求項１から９の何れかに記載の嵌め殺し式網戸。
【発明の詳細な説明】
【技術分野】
【０００１】
本発明は、防虫用の網戸に関するものであり、更に詳しくは、建物開口部のサッシに着脱自在に取り付けることができる嵌め殺し式の網戸に関するものである。
【背景技術】
【０００２】
窓や出入り口等の建物開口部に網戸を取り付ける場合、例えばすべり出し窓のように、ハンドル等の操作で障子を間接的に開閉操作する場所には、通常、嵌め殺し式の網戸が取り付けられる。この嵌め殺し式の網戸は、造りつけにして開閉操作を行わないように構成されるが、ネットの清掃時や、破損したネットを新しいものと交換する場合などには、窓から取り外せるようになっていることが望ましい。
【０００３】
特許文献１には、建物開口部に着脱自在に取り付けることができる嵌め殺し式の網戸が開示されている。この網戸は、上下及び左右の中レールで組み立てられた矩形の網戸枠にネットを張設したもので、前記上下の中レールが、長さ方向に２分割されることによって中央部で屈曲自在に形成されており、該網戸を前記サッシ（外レール）に取り付けたり取り外したりするときは、前記上下の中レールを屈曲させて網戸枠の左右幅を狭めた状態にし、該網戸を前記外レールに取り付けた状態に固定するときは、前記上下の中レールを伸長した状態に保持させるものである。
【０００４】
前記公知の網戸は、上下の中レールを屈伸させることによって前記外レールに対して着脱することができるという点で非常に便利なものであるが、上下の中レールの２分割された左右のレール片は、互いに分離していて相対的に変位自在であるため、該網戸を前記外レールに対して取り付けたり取り外したりするときや、ネットを網戸枠即ち前記中レールに張設したり取り外したりするときに、前記上下の中レールを真っ直ぐな状態に保持させておくのが難しく、取り扱い性にやや難点があった。
【先行技術文献】
【特許文献】
【０００５】
【特許文献１】特開２０１２−１９７５７９号公報
【発明の概要】
【発明が解決しようとする課題】
【０００６】
本発明の技術的課題は、取り扱い性に勝れ、建物開口部のサッシに簡単に取り付けたり取り外したりすることができる嵌め殺し式網戸を提供することにある。
【課題を解決するための手段】
【０００７】
前記課題を解決するため、本発明に係る嵌め殺し式網戸は、左右の縦枠杆及び上下の横枠杆からなる矩形の網戸枠と、該網戸枠に着脱自在に張設された矩形のネットとを有し、前記網戸枠の上下の横枠杆は、それぞれ長さ方向に２分割されていて、一半部側の第１杆部分と他半部側の第２杆部分とを有し、該第１杆部分と第２杆部分との先端部同士が向き合う横枠杆中央部において屈伸自在であると共に、該第１杆部分と第２杆部分とを伸長状態にロックするためのロック機構を有することを特徴とするものである。
【０００８】
本発明においては、前記上方の横枠杆における前記第１杆部分及び第２杆部分の基端部が、左方の縦枠杆の上端部及び右方の縦枠杆の上端部にそれぞれ回転自在に連結され、下方の横枠杆における前記第１杆部分及び第２杆部分の基端部が、左方の縦枠杆の下端部及び右方の縦枠杆の下端部にそれぞれ回転自在に連結されていることが好ましい。
【０００９】
また、本発明において好ましくは、前記ロック機構が、前記第１杆部分及び第２杆部分の一方と他方とに相互に係合、離脱可能に設けられた係合部と被係合部とを有し、前記係合部を前記被係合部に係合させると前記第１杆部分と第２杆部分とが伸長状態にロックされ、前記係合部を前記被係合部から離脱させると前記第１杆部分と第２杆部分とが屈曲可能になることである。
この場合、前記係合部が凸状をなし、また、前記被係合部が凹状をなしていて、該係合部及び被係合部の一方が前記第１杆部分及び第２杆部分の一方に固定的に設けられ、前記係合部及び被係合部の他方が前記第１杆部分及び第２杆部分の他方に係脱操作可能に設けられていることが好ましい。
より好ましくは、前記係合部が前記第１杆部分及び第２杆部分の一方に固定的に設けられ、前記被係合部が、前記第１杆部分及び第２杆部分の他方に移動操作可能に設置された操作部材に設けられていることである。
また、上方の横枠杆の第１杆部分及び第２杆部分に対する前記係合部及び被係合部の配置と、下方の横枠杆の第１杆部分及び第２杆部分に対する前記係合部及び被係合部の配置とは、互いに逆であっても良い。
【００１０】
本発明において、前記上下の横枠杆における前記第１杆部分と第２杆部分との先端部同士は、連結機構によって屈伸自在に連結されていることが望ましい。
この場合、前記連結機構が引張ばねで構成され、該引張ばねが、前記第１杆部分と第２杆部分とを跨ぐように配置されていて、一端が前記第１杆部分に係止し、他端が前記第２杆部分に係止していても、前記連結機構が連結ピンで構成され、該連結ピンが、前記第１杆部分と第２杆部分との連結部に形成されたピン挿通孔内に挿通されていても良い。
【００１１】
本発明においては、前記上下の横枠杆がそれぞれ、前記第１杆部分及び第２杆部分の少なくとも一方に、該横枠杆を屈伸操作をするための引手を有することが望ましい。
【発明の効果】
【００１２】
本発明の網戸は、上下の横枠杆をそれぞれ、第１杆部分と第２杆部分とに２分割して屈伸自在とすると共に、該上下の横枠杆に、前記第１杆部分と第２杆部分とを伸長状態にロックするためのロック機構とを設けたので、サッシに対する該網戸の着脱作業時や、網戸枠に対するネットの着脱作業時等に、前記上下の横枠杆の不意の屈曲が防止され、作業性や取り扱い性に勝れるという利点がある。
【図面の簡単な説明】
【００１３】
【図１】本発明に係る網戸をすべり出し窓に取り付けた状態を示す縦断面図である。
【図２】図１の水平横断面図である。
【図３】第１実施形態の網戸を室内側から見た場合の正面図である。
【図４】図３の網戸の斜視図である。
【図５】図３の網戸のＶ−Ｖ線に沿った要部拡大断面図である。
【図６】図３の網戸のＶＩ−ＶＩ線に沿った要部拡大断面図に、補助枠杆を加えた図である。
【図７】ネットの正面図である。
【図８】網戸枠の縦枠杆にネットの端部を係止させる方法を説明するための要部拡大断面図である。
【図９】第１及び第２の横枠杆のロック機構を解除した状態での前記網戸の斜視図である。
【図１０】図３の網戸のロック機構を説明するための、下方の横枠杆の要部の分解斜視図である。
【図１１】前記網戸の第１及び第２の横枠杆を屈曲させた状態での斜視図である。
【図１２】図１１の網戸の正面図である。
【図１３】本発明に係る網戸の第２実施例を示す斜視図である。
【図１４】図１３の網戸の連結機構を説明するための、下方の横枠杆の要部の分解斜視図である。
【図１５】図１３の網戸の第１及び第２の横枠杆を屈曲させた状態での正面図である。
【発明を実施するための形態】
【００１４】
図１−図１２は本発明に係る嵌め殺し式網戸の第１実施形態を示すもので、図１及び図２は、該網戸１０Ａを、すべり出し窓のサッシ１に、嵌め殺し状態ではあるが取り外し可能なるように取り付けた例を示すものである。
【００１５】
前記すべり出し窓は、前記サッシ１に取り付けられた障子２を、ハンドル３の操作により、支持軸を中心に室外側に押し出して開く窓のことで、支持軸が垂直方向を向く縦すべり出し窓と、支持軸が水平方向を向く横滑りだし窓とがある。
しかし、前記網戸１０Ａは、このようなすべり出し窓に限らず、横滑りだし式の障子を複数枚有するオーニング窓や、障子を蝶番や軸金具等で回転させて開閉する開き窓、あるいは窓枠の上部を支点として障子を室外側に突き出して開放する突き出し窓のように、ハンドル等の操作で障子を間接的に開閉操作する場所に取り付けることができる。
【００１６】
前記サッシ１は、アルミニウム合金製の左右の縦サッシ枠材１ａ，１ｂと上下の横サッシ枠材１ｃ，１ｄとによって矩形枠状に形成され、前記障子２が取り付けられている位置より室内側の位置に、網戸取付部４を有している。この網戸取付部４は、前記縦サッシ枠材１ａ，１ｂ及び横サッシ枠材１ｃ，１ｄにそれぞれ形成された網戸取付溝５を有していて、この網戸取付溝５に、前記網戸１０Ａの左右及び上下の４辺を嵌合させることにより、該網戸１０Ａが前記網戸取付部４に取り付けられている。前記網戸１０Ａの下辺は、補助枠杆１１を介して下方の横サッシ枠材１ｄに取り付けられている。
なお、前記サッシ１及び網戸１０Ａについて、「左右」及び「上下」とは、該サッシ１及び網戸１０Ａを室内側から見た場合の位置関係であり、図３は、網戸１０Ａを室内側から見た場合の正面図である。
【００１７】
前記網戸１０Ａは、図３−図６に示すように、左右の縦枠杆１３，１４及び上下の横枠杆１５，１６からなる矩形の網戸枠１２と、該網戸枠１２に張設された矩形の防虫用ネット１７とで構成されている。
【００１８】
前記ネット１７は、図７に示すように、左右及び上下の４つの辺に、それぞれ係止体１８を取り付けたもので、左右の辺の係止体１８を前記網戸枠１２の左右の縦枠杆１３，１４に係止させると共に、上下の辺の係止体１８を前記網戸枠１２の上下の横枠杆１５，１６に係止させることにより、該網戸枠１２に張設されている。
【００１９】
前記係止体１８は、前記ネット１７の４つの辺に接着や逢着あるいは溶着等の適宜手段で取り付けられた布テープ１８ａの縁に、断続的に取り付けられた複数の突起や、連続的に取り付けられた柔軟な突条等によって形成されたものであるが、好ましくは、互いに噛み合う小片を２つの布テープの縁に取り付けた一対の噛合帯からなるファスナーの、一方の噛合帯を前記ネットの端部に取り付けることにより、前記係止体１８を形成することである。
【００２０】
前記網戸枠１２は、図３及び図４に示すように、前記左右の縦枠杆１３，１４の上下端と、前記上下の横枠杆１５，１６の左右端とを、該網戸枠１２の４つのコーナーに配置された端部キャップ２０で相互に連結することにより、矩形枠状に形成されている。
前記端部キャップ２０は、図３に左上及び左下の端部キャップ２０で代表的に示すように、縦向きに延出する連結脚２０ａを有し、この連結脚２０ａを前記縦枠杆１３，１４内に端部から挿入して係止させることにより、該縦枠杆１３，１４に連結され、前記横枠杆１５，１６に対しては、連結軸２１で回転自在に連結されている。このように端部キャップ２０と横枠杆１５，１６とを回転自在に連結する理由は、後述する該横枠杆１５，１６の説明の中で明らかになるであろう。
【００２１】
前記左右の縦枠杆１３，１４は、アルミニウム合金等の金属からなる中空状の部材であって、互いに同一形状を有し、図５に示すように、網戸枠１２の内側に位置する杆本体部２２ａと、網戸枠１２の外側に張り出した張出部２２ｂとを有し、前記杆本体部２２ａの前後幅は前記張出部２２ｂの前後幅より大きく形成されている。また、前記杆本体部２２ａ及び張出部２２ｂの背面即ち室外側の面には、該縦枠杆１３，１４の全長にわたってそれぞれ開口部２４ａ，２４ｂ（図８参照）が形成され、該開口部２４ａ，２４ｂを通じて前記杆本体部２２ａ及び張出部２２ｂの内部に、前記ネット１７の左右の端部に係止されたネット取付具２３のネット係止部２３ａと枠杆取付部２３ｂとを挿入することにより、前記左右の縦枠杆１３，１４に、前記ネット１７の端部が、前記ネット取付具２３を介して着脱自在に取り付けられている。
【００２２】
前記ネット取付具２３は、前記ネット係止部２３ａと前記枠杆取付部２３ｂとを有していて、前記ネット係止部２３ａには、係止溝２３ｃが該ネット取付具２３の全長にわたって形成され、該係止溝２３ｃ内に、前記ネット１７の端部をネット取付具２３の一端側から挿入し、前記係止体１８を該係止溝２３ｃの内縁に係止させることにより、該ネット取付具２３に前記ネット１７の端部が連結されている。
【００２３】
一方、前記枠杆取付部２３ｂには、先端に係止突起を有する一対の弾性係止脚２３ｄがネット取付具２３の全長にわたって形成され、図８に示すように、前記ネット１７の端部の係止体１８を係止させた前記ネット係止部２３ａを、前記杆本体部２２ａの内部に開口部２４ａを通じて嵌合させたあと、前記弾性係止脚２３ｄを、前記張出部２２ｂの内部に開口部２４ｂを通じて弾力的に圧入し、前記弾性係止脚２３ｄの係止突起を、該張出部２２ｂの内壁に形成された係止突起に弾力的に係止させることにより、該ネット取付具２３が、前記縦枠杆１３，１４に、取り外し可能に取り付けられている。
【００２４】
また、前記上下の横枠杆１５，１６は、図３に示すように、それぞれ長さ方向に２分割されていて、左半部側（左方の縦枠杆１３側）の第１杆部分２６ａと、右半部側（右方の縦枠杆１４側）の第２杆部分２６ｂとを有し、これら第１杆部分２６ａと第２杆部分２６ｂとの先端部同士が向き合う横枠杆中央部において、図１１及び図１２に示すように、前記第１杆部分２６ａと第２杆部分２６ｂとの先端部を網戸枠１２の内側に向けて屈曲可能である。
【００２５】
前記第１杆部分２６ａ及び第２杆部分２６ｂの基端部２６ｄは、前記端部キャップ２０に前記連結軸２１で回転自在に連結されることにより、該端部キャップ２０を介して前記左右の縦枠杆１３，１４の上端部に回転自在に連結され、前記上方の横枠杆１５及び下方の横枠杆１６を中間部で屈曲させるとき、前記第１杆部分２６ａ及び第２杆部分２６ｂが、前記連結軸２１を中心に回転すると共に、前記左方の縦枠杆１３と右方の縦枠杆１４とを互いの間隔が狭まる方向に引き寄せるようになっている。
【００２６】
また、前記第１杆部分２６ａ及び第２杆部分２６ｂの互いに相対する内側端（先端部）には、中空状をした分割キャップ２７及び引手キャップ２８の一方と他方とが、該第１杆部分２６ａ及び第２杆部分２６ｂの一部を形成するように取り付けられている。図示した実施形態の場合、上方の横枠杆１５においては、前記第１杆部分２６ａに分割キャップ２７が取り付けられると共に、第２杆部分２６ｂに引手キャップ２８が取り付けられ、下方の横枠杆１６においては、前記第１杆部分２６ａに引手キャップ２８が取り付けられると共に、第２杆部分２６ｂに分割キャップ２７が取り付けられている。
しかし、上下の横枠杆１５，１６の前記第１杆部分２６ａ及び第２杆部分２６ｂに対する前記分割キャップ２７及び引手キャップ２８の配置は、上述した場合と逆であっても良い。
【００２７】
前記分割キャップ２７及び引手キャップ２８は、前記第１杆部分２６ａ側又は第２杆部分２６ｂ側に向けて突出する不図示の連結脚をそれぞれ有し、該連結脚を前記第１杆部分２６ａ又は第２杆部分２６ｂの内部に挿入して係止させることにより、該第１杆部分２６ａ又は第２杆部分２６ｂに固定的に連結されているが、その連結方法はこのようなものに限らず、任意である。
【００２８】
前記分割キャップ２７及び引手キャップ２８の内部には、前記第１杆部分２６ａと第２杆部分２６ｂとの先端部同士を屈伸自在に連結するための連結機構３１を構成する引張ばね２９が、前記分割キャップ２７と引手キャップ２８との相対する先端部２７ａと２７ｂとを跨ぐようにして伸長状態で配設され、該引張ばね２９の一端は、前記分割キャップ２７の内部に形成された係止部３０に係止し、前記引張ばね２９の他端は、前記引手キャップ２８の内部に形成された係止部３０に係止している。そして、前記第１杆部分２６ａと第２杆部分２６ｂとを図１０及び図１１に示すように屈曲させると、該引張ばね２９が更に伸長し、該第１杆部分２６ａと第２杆部分２６ｂとを伸長状態に復帰させるためのエネルギーが蓄えられるようになっている。
なお、前記分割キャップ２７及び引手キャップ２８の先端部２７ａ，２７ｂは、該分割キャップ２７及び引手キャップ２８が前記第１杆部分２６ａ及び第２杆部分２６ｂの一部を構成しているため、第１杆部分２６ａ及び第２杆部分２６ｂの先端部であると言うこともできる。
【００２９】
また、前記分割キャップ２７と引手キャップ２８とには、前記第１杆部分２６ａと第２杆部分２６ｂとを伸長状態にロックするためのロック機構３３が設けられている。このロック機構３３は、図１０及びその他の図から分かるように、前記引手キャップ２８の内側面（網戸枠１２の内側を向く面）に形成されたレール状の係合部３４と、前記分割キャップ２７の内側面に摺動自在に設けられた操作部材３５とを有し、該操作部材３５に、前記係合部３４が嵌合、係止する凹状の被係合部３６ａが設けられている。
【００３０】
前記操作部材３５は、該操作部材３５の長手方向に延びるＴ字形のガイド溝３６を有していて、該ガイド溝３６の内部に、前記分割キャップ２７に形成された断面Ｔ字形のガイドレール３７が嵌合することにより、該ガイドレール３７に沿って摺動自在である。前記ガイドレール３７の先端部３７ａは、幅方向の一半部が部分的に欠如されることによって断面Ｌ字形に形成され、この欠如された部分に、前記係合部３４が納まるスペース３８が形成されている。
【００３１】
一方、前記係合部３４は、断面がＬ字形をなすもので、前記引手キャップ２８の先端部２８ａから前記分割キャップ２７側に向けて直線状に突出しており、その突出長さは、前記スペース３８の前記ガイドレール３７に沿った長さ(奥行き)より大きい。そして、前記第１杆部分２６ａと第２杆部分２６ｂとが伸長状態にあるとき、前記係合部３４が前記スペース３８内に納まると共に、該係合部３４の先端３４ａが前記スペース３８の奥の段壁３８ａに当接することにより、図３に示すように、前記分割キャップ２７の先端部２７ａと引手キャップ２８の先端部２８ａとの間に、前記横枠杆１５，１６を屈曲させる際の逃げとなる隙間ｇが形成されるようになっている。この隙間ｇは、前記横枠杆１５，１６の屈伸時に、前記引張ばね２９の伸縮によって変化する。
【００３２】
また、前記係合部３４の断面形状であるＬ字の向きは、前記ガイドレール３７の先端部３７ａの断面形状であるＬ字の向きとは逆向き即ち背中合わせの関係にあって、該係合部３４が前記スペース３８内に納まったとき、該係合部３４と前記ガイドレール３７の先端部３７ａとがＴ字形に重なり合い、その状態で前記操作部材３５を引手キャップ２８側に向けて前進させると、前記係合部３４と前記ガイドレール３７の先端部３７ａとが重なり合ったまま、該操作部材３５のガイド溝３６内に一緒に嵌合するようになっている。従って、前記係合部３４が嵌合する前記被係合部３６ａは、前記ガイド溝３６の左右の一半部によって形成されるものである。
【００３３】
このようにして、前記第１杆部分２６ａと第２杆部分２６ｂとを伸長させた状態で前記操作部材３５を前進させ、前記被係合部３６ａ内に前記係合部３４に嵌合させることにより、図３及び図４に示すように該操作部材３５と前記係合部３４とが互いに係合し、前記第１杆部分２６ａと第２杆部分２６ｂとが伸長状態にロックされる。
また、図９に示すように、前記操作部材３５を後退させて前記係合部３４を被係合部３６ａから脱出させると、前記操作部材３５と係合部３４とが非係合状態になってロックが解除され、前記第１杆部分２６ａと第２杆部分２６ｂとは、図１１及び図１２に示すように屈曲可能になる。
前記操作部材３５の指を掛ける部分には、滑り止め用の複数の突条３５ａが形成されている。
【００３４】
前記引手キャップ２８には、室内側に向けて水平に張り出した引手４０が形成され、この引手４０に指を掛けて前記第１杆部分２６ａ又は第２杆部分２６ｂを網戸枠１２の内側に向けて変位させることにより、上下の横枠杆１５，１６を中間部で屈曲させることができる。この引手４０は、前記操作部材３５の操作の邪魔にならない態様で前記分割キャップ２７に取り付けても良く、あるいは、該分割キャップ２７と前記引手キャップ２８の両方に取り付けても良い。
【００３５】
前記上下の横枠杆１５，１６における前記第１杆部分２６ａ及び第２杆部分２６ｂの中空部内には、前記分割キャップ２７と引手キャップ２８とを除いた部分に、係止溝４１ａを有する中空のネット取付部材４１が、前記係止溝４１ａを横枠杆１５，１６の背面側（室外側）に開口させた姿勢で挿入され、前記分割キャップ２７と引手キャップ２８には、前記係止溝４１ａが直接形成され、該係止溝４１ａ内に、前記ネット１７の上辺又は下辺を前記横枠杆１５，１６の一端側から挿入し、該係止溝４１ａの内縁に前記係止体１８を係止させることにより、該ネット１７の上下の辺が上下の横枠杆１５，１６にそれぞれ連結されている。
前記分割キャップ２７及び引手キャップ２８は、前記係止溝４１ａを直接形成する代わりに、前記ネット取付部材４１を内蔵した構成にすることもできる。
【００３６】
前記ネット１７を実際に前記網戸枠１２に取り付ける場合には、先ず、該ネット１７の上方の辺及び下方の辺を、伸長状態にロックされた上方の横枠杆１５及び下方の横枠杆１６のネット取付部材４１の係止溝４１ａ内に挿通させて係止させ、そのあと、該ネット１７の左方の辺及び右方の辺に前記ネット取付具２３をそれぞれ取り付けて、このネット取付具２３を、前記左方の縦枠杆１３及び右方の縦枠杆１４にそれぞれ嵌合、固定させるようにする。
【００３７】
このようにして網戸枠１２にネット１７を張設した前記網戸１０Ａを、前記サッシ１に取り付ける場合は、該網戸１０Ａの下方の横枠杆１６に前記補助枠杆１１を取り付ける。この補助枠杆１１は、図１及び図６に示すように前記横枠杆１６が嵌合する嵌合溝１１ａを有する断面溝形の部材であって、前記サッシ１から網戸１０Ａと一緒に取り外すことができるように、該補助枠杆１１の長さは、前記サッシ１の左右方向の開口幅と同じかそれより僅かに短く形成されている。また、該補助枠杆１１の底面には、２本の平行な弾性取付脚１１ｂが設けられていて、該２本の弾性取付脚１１ｂの外幅は、前記サッシ１の下方の横サッシ枠材１ｄの網戸取付溝５内に、比較的小さい力で弾力的に嵌合、係止させたり離脱させたりすることができるような幅に形成されている。
【００３８】
そして、前記補助枠杆１１を前記下方の横枠杆１６に取り付けた状態で、前記上下の横枠杆１５，１６の操作部材３５を引手キャップ２８から離れる方向に後退させ、係合部３４から離脱させてロックを解除したあと、図１１及び図１２に示すように前記上下の横枠杆１５，１６を屈曲させることにより、左右の縦枠杆１３，１４を内側に引き寄せて網戸１０Ａの左右の幅を狭める。このとき、前記上下の横枠杆１５，１６においては、前記引張ばね２９が屈曲しながら伸長し、前記横枠杆１５，１６を伸長させるためのエネルギーが蓄えられる。
なお、前述したように上下の横枠杆１５，１６を屈曲させて左右の縦枠杆１３，１４を内側に引き寄せると、前記ネット１７は当然緩んだ状態になるが、その詳細な図示は省略されている。
【００３９】
次に、サッシ１の室内側から、前記網戸１０Ａの上方の横枠杆１５を該サッシ１の上方の横サッシ枠材１ｃの網戸取付溝５内に挿入し、該網戸取付溝５の上端まで押し上げると共に、前記補助枠杆１１の弾性取付脚１１ｂを、前記サッシ１の下方の横サッシ枠材１ｄの網戸取付溝５の上方の位置に位置合わし、その状態から該網戸１０Ａを下降させて、前記弾性取付脚１１ｂを前記下方の横サッシ枠材１ｄの網戸取付溝５内に嵌合させる。
【００４０】
そして、前記引張ばね２９の引張力を利用して前記網戸１０Ａの上下の横枠杆１５，１６を伸長させることにより、網戸１０Ａの左右幅を広げて左右の縦枠杆１３，１４を前記サッシ１の左右の縦サッシ枠材１ａ，１ｂの網戸取付溝５に嵌合させ、そのあと、前記操作部材３５を前進させて係合部３４に係合させ、上下の横枠杆１５，１６を伸長状態にロックすることにより、前記網戸１０Ａの取り付けが完了する。このとき前記ネット１７は、図３に示すように緊張状態になる。
【００４１】
前記網戸１０Ａの清掃やメンテナンスを行う場合や、前記ネット１７を新しいネットと交換する場合などに、該網戸１０Ａを前記サッシ１から取り外すときは、前記サッシ１に取り付けるときと逆の手順に従って取り外せば良い。
【００４２】
即ち、先ず、前記上下の横枠杆１５，１６における操作部材３５を後退させ、係合部３４から離脱させてロックを解除したあと、該上下の横枠杆１５，１６における引手キャップ２８の引手４０を網戸枠１２の内側に向けて互いに引き寄せ、該上下の横枠杆１５，１６を中央部で屈曲させることにより、左右の縦枠杆１３，１４を内側に引き寄せて前記サッシ１の左右の縦サッシ枠材１ａ，１ｂの網戸取付溝５から脱出させる。
【００４３】
続いて、前記網戸１０Ａを前記補助枠杆１１と共に上方に持ち上げて、上方の横枠杆１５を、前記サッシ１の上方の横サッシ枠材１ｃの網戸取付溝５の上端まで押し上げる。すると、前記補助枠杆１１の取付脚１１ｂが、前記下方の横サッシ枠材１ｄの網戸取付溝５から上方に抜け出すので、前記網戸１０Ａの下端部を室内側に変位させて前記横サッシ枠材１ｄから取り外し、続いて、前記上方の横枠杆１５を上方の横サッシ枠材１ｃの網戸取付溝５から引き出すことにより、前記網戸１０Ａを前記サッシ１から取り外すことができる。
【００４４】
また、前記網戸枠１２から前記ネット１７を取り外すときは、前記上下の横枠杆１５，１６を伸長させると共に、前記ロック機構３３をロックさせた状態で、該ネット１７の左右の辺に取り付けられた前記ネット取付具２３を左右の縦枠杆１３，１４から取り外したあと、該ネット１７を網戸枠１２に沿って左右何れかの方向に移動させることにより、該ネット１７の上下の辺を、上下の横枠杆１５，１６の係止溝４１ａから抜き取るようにする。前記ネット取付具２３は、ネット１７に沿って上下何れかの方向に移動させることにより、該ネット１７から取り外すことができる。
【００４５】
以上に詳述したように、前記網戸１０Ａは、前記上下の横枠杆１５，１６に、前記第１杆部分２６ａと第２杆部分２６ｂとを伸長状態にロックしたりロックを解除したりするためのロック機構３３を設けたことにより、前記サッシ１に対する該網戸１０Ａの着脱作業時や、前記網戸枠１２に対するネット１７の着脱作業時等に、前記第１杆部分２６ａと第２杆部分２６ｂとの不意の屈曲が防止され、作業性や取り扱い性に勝れるという利点がある。しかも、前記第１杆部分２６ａと第２杆部分２６ｂとの先端部同士を引張ばね２９で互いに連結しているので、該第１杆部分２６ａと第２杆部分２６ｂとの屈伸操作をより簡単にしかも安定的に行うことができる。
【００４６】
図１３−図１５は本発明に係る網戸の第２実施形態を示すもので、この第２実施形態の網戸１０Ｂが前記第１実施形態の網戸１０Ａと異なる点は、上下の横枠杆１５，１６における第１杆部分２６ａと第２杆部分２６ｂとの先端部同士を連結する連結機構３１が、連結ピン４３によって形成されていることである。
【００４７】
即ち、前記第１杆部分２６ａ及び第２杆部分２６ｂに取り付けられた分割キャップ２７及び引手キャップ２８の先端部２７ａ及び２８ａには、前後に互いに重なり合う連結部４４ａ及び４４ｂが室内側の半部と室外側の半部とに形成され、該重合部４４ａ，４４ｂに形成されたピン挿通孔４５に前記連結ピン４３を挿入することにより、前記第１杆部分２６ａと第２杆部分２６ｂとの先端部同士が、該連結ピン４３を中心に屈伸自在なるように連結されている。
また、前記分割キャップ２７及び引手キャップ２８の先端部２７ａ及び２８ａは、屈伸時に係止し合わないように、上下端の角部が丸く形成されている。
【００４８】
この第２実施形態の網戸１０Ｂの前記以外の構成は、前記第１実施形態の網戸１０Ａと実質的に同じであるので、主要な同一構成部分に網戸１０Ａで用いたものと同じ符号を付し、その説明は省略する。
【００４９】
前記各実施形態では、網戸１０Ａ，１０Ｂの下方の横枠杆１６を、前記補助枠杆１１を介してサッシ１の下方の横サッシ枠材１ｄに取り付けるようにしているが、このような補助枠杆１１を用いることなく、前記下方の横枠杆１６を、前記横サッシ枠材１ｄに直接取り付けるようにすることもできる。
【００５０】
また、上下の横枠杆１５，１６の前記第１杆部分２６ａ及び第２杆部分２６ｂに分割キャップ２７及び引手キャップ２８の一方と他方とを取り付けて、前記分割キャップ２７にガイドレール３７と操作部材３５とを設け、前記引手キャップ２８に係合部３４と引手４０とを設けているが、前記第１杆部分２６ａ及び第２杆部分２６ｂにこのような分割キャップ２７及び引手キャップ２８を取り付けることなく、該第１杆部分２６ａ及び第２杆部分２６ｂの各々を、一連の型材によって全長に渡り一体に形成し、該第１杆部分２６ａ及び第２杆部分２６ｂの一方に、別部材として形成した前記ガイドレール３７と操作部材３５とを取り付け、他方に、別部材として形成した前記係合部３４と引手４０とを取り付けても良い。
【００５１】
更に、図示した実施形態のロック機構３３は、前記第１杆部分２６ａ及び第２杆部分２６ｂの一方に前記係合部３４を固定的に設け、他方の杆部分に摺動自在に配設した操作部材３５に前記被係合部３６ａを設けているが、その逆に、第１及び第２の一方の杆部分に被係合部３６ａを固定的に設け、他方の杆部分に摺動自在に配設した前記操作部材３５に前記係合部３４を設けても良い。
【００５２】
あるいは、前述したような構成のロック機構３３の代わりに、前記第１杆部分２６ａ及び第２杆部分２６ｂの一方と他方とに相対的に変位自在なるように設けた適宜形状の係合部と被係合部とを、相互に嵌合させたり離脱させたりするようにしたロック機構や、鉤と鉤受けとを相互に係止させたり離脱させたりするようにしたロック機構などを採用することもできる。
【符号の説明】
【００５３】
１      サッシ
１０Ａ，１０Ｂ      網戸
１２      網戸枠
１３      左方の縦枠杆
１４      右方の縦枠杆
１５      上方の横枠杆
１６      下方の横枠杆
１７      ネット
２６ａ      第１杆部分
２６ｂ      第２杆部分
２６ｄ      基端部
２７ａ，２８ａ      先端部
２９      引張ばね
３１      連結機構
３３      ロック機構
３４      係合部
３５      操作部材
３６ａ      被係合部
４０      引手
４３      連結ピン
４４ａ，４４ｂ      連結部
４５      ピン挿通孔
【図１】
2015124535.tif 000003
【図２】
2015124535.tif 000004
【図３】
2015124535.tif 000005
【図４】
2015124535.tif 000006
【図５】
2015124535.tif 000007
【図６】
2015124535.tif 000008
【図７】
2015124535.tif 000009
【図８】
2015124535.tif 000010
【図９】
2015124535.tif 000011
【図１０】
2015124535.tif 000012
【図１１】
2015124535.tif 000013
【図１２】
2015124535.tif 000014
【図１３】
2015124535.tif 000015
【図１４】
2015124535.tif 000016
【図１５】
2015124535.tif 000017